(57)【要約】【課題】ウィンドウ基板のベゼル層の薄型化を図るとともに、様々な色をより容易に実現し、ウィンドウ基板一体型の場合における作動信頼性および作動性能をより向上させることができるタッチセンサを提供する。【解決手段】本発明のタッチセンサは、ウィンドウ基板１０と、ウィンドウ基板１０の一面の外周縁上に形成されたベゼル層２０と、を含み、ベゼル層２０は、ウィンドウ基板１０上に形成された印刷層２１と、印刷層２１上に形成され、印刷層２１より屈折率が低い媒質層２２と、媒質層２２上に形成された反射層２３と、を含むものである。【選択図】図５
2015079503.tif 000002
【特許請求の範囲】
【請求項１】
ウィンドウ基板と、
前記ウィンドウ基板の一面の外周縁上に形成されたベゼル層と、を含み、
前記ベゼル層は、
前記ウィンドウ基板上に形成された印刷層と、
前記印刷層上に形成され、前記印刷層より屈折率が低い媒質層と、
前記媒質層上に形成された反射層と、を含む、タッチセンサ。
【請求項２】
前記反射層上に形成された黒色印刷層をさらに含む、請求項１に記載のタッチセンサ。
【請求項３】
前記黒色印刷層は、カーボン系物質（Ｇｒａｐｈｅｎｅ  Ｏｘｉｄｅ、ＤＬＣ：Ｄｉａｍｏｎｄ  Ｌｉｎｅ  Ｃａｒｂｏｎ）、クロム系酸化物（ＣｒＯ、ＣｒＯ２）、銅系酸化物（ＣｕＯ）、マンガン系酸化物（ＭｎＯ２）、コバルト系酸化物（ＣｏＯ）、硫化物（ＣｏＳ２、Ｃｏ３Ｓ４）、ニッケル系酸化物（Ｎｉ２Ｏ３）またはその組み合わせからなる、請求項２に記載のタッチセンサ。
【請求項４】
前記ベゼル層の内側に形成された電極パターンと、
前記ベゼル層の反射層上に形成された絶縁層と、
前記電極パターンの一端に連結され、前記絶縁層上に設けられて電気的連結を形成する電極配線と、をさらに含む、請求項１に記載のタッチセンサ。
【請求項５】
前記印刷層は、可視光領域において屈折率が１．３〜２．７以上の物質を含む、請求項１に記載のタッチセンサ。
【請求項６】
前記媒質層は、可視光領域において屈折率が１以上２．７未満の物質を含む、請求項１に記載のタッチセンサ。
【請求項７】
前記媒質層は、光学透明接着剤（ＯＣＡ）からなる、請求項６に記載のタッチセンサ。
【請求項８】
前記反射層は金属層に形成され、前記金属層の反射率が０．８以上である、請求項１に記載のタッチセンサ。
【請求項９】
前記反射層は金属層に形成され、前記金属層の比抵抗（ρ）が２０℃で１０以下である、請求項１に記載のタッチセンサ。
【請求項１０】
前記ベゼル層の積層方向の厚さが１０μｍ以下である、請求項１に記載のタッチセンサ。
【請求項１１】
前記印刷層は、二酸化チタン（ＴｉＯ２）、酸化アルミニウム（Ａｌ２Ｏ３）、二酸化ケイ素（ＳｉＯ２）、酸化ハフニウム（ＨｆＯ２）、酸化亜鉛（ＺｎＯ）、酸化マグネシウム（ＭｇＯ）、酸化セリウム（Ｃｅ２Ｏ３）、酸化インジウム（Ｉｎ２Ｏ３）、インジウムスズ酸化物（ＩＴＯ）、チタン酸バリウム（ＢａＴｉＯ３）、タンタル酸カリウム（ＫＴａＯ３）、（Ｂａ、Ｓｒ）ＴｉＯ３またはその組み合わせからなる、請求項１に記載のタッチセンサ。
【請求項１２】
前記反射層は、チタン（Ｔｉ）、アルミニウム（Ａｌ）、ニッケル（Ｎｉ）、銀（Ａｇ）、クロム（Ｃｒ）、白金（Ｐｔ）、モリブデン（Ｍｏ）、銅（Ｃｕ）、金（Ａｕ）、タングステン（Ｗ）、イリジウム（Ｉｒ）またはその組み合わせからなる、請求項１に記載のタッチセンサ。
【請求項１３】
前記絶縁層は、クロム系酸化物（ＣｒＯ、ＣｒＯ２）、銅系酸化物（ＣｕＯ）、マンガン系酸化物（ＭｎＯ２）、コバルト系酸化物（ＣｏＯ）、硫化物（ＣｏＳ２、Ｃｏ３Ｓ４）、ニッケル系酸化物（Ｎｉ２Ｏ３）、またはその組み合わせからなる、請求項４に記載のタッチセンサ。
【請求項１４】
前記反射層は、非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））により形成され、多孔性の構造を有する、請求項１２に記載のタッチセンサ。
【請求項１５】
前記反射層は、非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））により形成され、表面抵抗が１ｋΩ以下である、請求項１２に記載のタッチセンサ。
【請求項１６】
前記反射層は、非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））により形成され、透過率が５％以上である、請求項１２に記載のタッチセンサ。
【発明の詳細な説明】
【技術分野】
【０００１】
本発明は、タッチセンサに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキストおよびグラフィック処理を行う。
【０００３】
しかし、情報化社会の急速な進行により、コンピュータの用途が益々拡大する傾向にあるため、現在、入力装置の役割を担当しているキーボードおよびマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を超えて、高信頼性、耐久性、革新性、設計および加工に関する技術などが注目されており、このような目的を達成するために、テキスト、グラフィックなどの情報入力が可能な入力装置として、タッチセンサ（ｔｏｕｃｈ  ｓｅｎｓｏｒ）が開発された。
【０００５】
タッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置およびＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）および赤外線方式（Ｉｎｆｒａｒｅｄ  Ｔｙｐｅ）に区分される。
【０００７】
このような様々な方式のタッチセンサは、信号増幅の問題、解像度の差、設計および加工技術の難易度、光学的特性、電気的特性、機械的特性、耐環境特性、入力特性、耐久性および経済性を考慮して電子製品に採用されるが、現在、最も幅広い分野で用いられている方式は、抵抗膜方式タッチセンサおよび静電容量方式タッチセンサである。
【０００８】
このようなタッチセンサは、例えば、透明基板と検知部が接着剤を介して接合された構造からなってもよく、特許文献１のように透明基板の周縁に沿って形成されたベゼル部が検知部のバスライン（Ｂｕｓ  Ｌｉｎｅ）を隠すように形成されてもよい。
【０００９】
最近、ＩＴ機器において、外観デザインの重要性が益々高まっており、ディスプレイ画面も大型化している。特に、特許文献１のように、単純に黒色を適用したベゼルだけでなく、機器の外観の大きさが増加することなくディスプレイ画面を拡大し、実物に近い色であるフルカラー（Ｆｕｌｌ  ｃｏｌｏｒ）を実現するために、ベゼル部の厚さの薄型化を図るための努力がなされている。
【００１０】
しかし、このようなベゼル部の面積や厚さは、実現しようとするベゼル部の色に応じて異なることがあり、特に、白色（ｗｈｉｔｅ）のように光の透過性の高い明るいトーンの色の場合には、光の透過を最小化するためにベゼル部の厚さが必然的に厚くなるという問題点があるため、小型化および薄型化しつつあるＩＴ機器の傾向に逆らう問題があった。
【先行技術文献】
【特許文献】
【００１１】
【特許文献１】韓国公開特許第２０１１−００５３９４０号公報
【発明の概要】
【発明が解決しようとする課題】
【００１２】
本発明は、上述した従来技術の問題点を解決するためのものであり、本発明の目的は、ウィンドウ基板のベゼル層の薄型化を図るとともに様々な色をより容易に実現し、ウィンドウ基板一体型のタッチセンサにおける作動信頼性および作動性能をより向上させるためのタッチセンサを提供することにある。
【課題を解決するための手段】
【００１３】
本発明の一実施例によるタッチセンサは、ウィンドウ基板と、前記ウィンドウ基板の一面の外周縁上に形成されたベゼル層と、を含み、前記ベゼル層は、前記ウィンドウ基板上に形成された印刷層と、前記印刷層上に形成され、前記印刷層より屈折率が低い媒質層と、前記媒質層上に形成された反射層と、を含むものである。
【００１４】
本発明の一実施例によるタッチセンサにおいて、前記反射層上に形成された黒色印刷層をさらに含むことができる。
【００１５】
本発明の一実施例によるタッチセンサにおいて、前記黒色印刷層は、カーボン系物質（Ｇｒａｐｈｅｎｅ  Ｏｘｉｄｅ、ＤＬＣ：Ｄｉａｍｏｎｄ  Ｌｉｎｅ  Ｃａｒｂｏｎ）、クロム系酸化物（ＣｒＯ、ＣｒＯ２）、銅系酸化物（ＣｕＯ）、マンガン系酸化物（ＭｎＯ２）、コバルト系酸化物（ＣｏＯ）、硫化物（ＣｏＳ２、Ｃｏ３Ｓ４）、ニッケル系酸化物（Ｎｉ２Ｏ３）またはその組み合わせからなることができる。
【００１６】
本発明の一実施例によるタッチセンサにおいて、前記ベゼル層の内側に形成された電極パターンと、前記ベゼル層の反射層上に形成された絶縁層と、前記電極パターンの一端に連結され、前記絶縁層上に設けられて電気的連結を形成する電極配線と、をさらに含むことができる。
【００１７】
本発明の一実施例によるタッチセンサにおいて、前記印刷層は、可視光領域において屈折率が１．３〜２．７以上の物質を含むことができる。
【００１８】
本発明の一実施例によるタッチセンサにおいて、前記媒質層は、可視光領域において屈折率が１以上２．７未満の物質を含むことができる。
【００１９】
本発明の一実施例によるタッチセンサにおいて、前記媒質層は、光学透明接着剤（ＯＣＡ）からなることができる。
【００２０】
本発明の一実施例によるタッチセンサにおいて、前記反射層は金属層に形成され、前記金属層の反射率が０．８以上に形成されることができる。
【００２１】
本発明の一実施例によるタッチセンサにおいて、前記反射層は金属層に形成され、前記金属層の比抵抗（ρ）が２０℃で１０以下であることができる。
【００２２】
本発明の一実施例によるタッチセンサにおいて、前記ベゼル層の積層方向の厚さが１０μｍ以下であることができる。
【００２３】
本発明の一実施例によるタッチセンサにおいて、前記印刷層は、二酸化チタン（ＴｉＯ２）、酸化アルミニウム（Ａｌ２Ｏ３）、二酸化ケイ素（ＳｉＯ２）、酸化ハフニウム（ＨｆＯ２）、酸化亜鉛（ＺｎＯ）、酸化マグネシウム（ＭｇＯ）、酸化セリウム（Ｃｅ２Ｏ３）、酸化インジウム（Ｉｎ２Ｏ３）、インジウムスズ酸化物（ＩＴＯ）、チタン酸バリウム（ＢａＴｉＯ３）、タンタル酸カリウム（ＫＴａＯ３）、（Ｂａ、Ｓｒ）ＴｉＯ３またはその組み合わせからなることができる。
【００２４】
本発明の一実施例によるタッチセンサにおいて、前記反射層は、チタン（Ｔｉ）、アルミニウム（Ａｌ）、ニッケル（Ｎｉ）、銀（Ａｇ）、クロム（Ｃｒ）、白金（Ｐｔ）、モリブデン（Ｍｏ）、銅（Ｃｕ）、金（Ａｕ）、タングステン（Ｗ）、イリジウム（Ｉｒ）またはその組み合わせからなることができる。
【００２５】
本発明の一実施例によるタッチセンサにおいて、前記絶縁層は、クロム系酸化物（ＣｒＯ、ＣｒＯ２）、銅系酸化物（ＣｕＯ）、マンガン系酸化物（ＭｎＯ２）、コバルト系酸化物（ＣｏＯ）、硫化物（ＣｏＳ２、Ｃｏ３Ｓ４）、ニッケル系酸化物（Ｎｉ２Ｏ３）、またはその組み合わせからなることができる。
【００２６】
本発明の一実施例によるタッチセンサにおいて、前記反射層は、非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））により形成され、多孔性の構造を有することができる。
【００２７】
本発明の一実施例によるタッチセンサにおいて、前記反射層は、非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））により形成され、表面抵抗が１ｋΩ以下であることができる。
【００２８】
本発明の一実施例によるタッチセンサにおいて、前記反射層は、非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））により形成され、透過率が５％以上であることができる。
【発明の効果】
【００２９】
本発明の一実施例によれば、ウィンドウ基板上に形成されたベゼル層の薄型化を図るとともに、様々な色をより容易に実現することができる。
【００３０】
また、ベゼル層の印刷層上に印刷層より屈折率が低い媒質層を形成し、媒質層上に反射層を形成することで、薄膜の印刷層だけでもベゼル層の色をより効果的に実現することができる。
【００３１】
また、ベゼル層の薄型化を図るとともに、ウィンドウ基板上に電極パターンが直接形成されたウィンドウ基板一体型のタッチセンサにおいて、より高い電気的信頼性を確保し、タッチセンサの作動性能を向上させることができる。
【００３２】
また、ベゼル層の最外層に絶縁層を形成することで、ベゼル層の遮蔽機能の信頼性をより向上させることができる。
【００３３】
また、反射層を非伝導性の薄膜フィルムに形成することで、適用されるデバイスの種類およびスペックに応じて発生しうるアンテナの受信妨害などを予め防止することができる。
【００３４】
また、反射層を非伝導性の薄膜フィルムに形成することで、適用されるデバイスに応じたＷｉ−Ｆｉのような無線周波数（ＲＦ）信号の妨害を最小化することができる。
【００３５】
また、反射層を形成する金属層を非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））で形成することで、伝導性を低減するとともに透過率および反射率を効果的に維持することができる。
【図面の簡単な説明】
【００３６】
【図１】本発明の一実施例によるベゼル層が形成されたウィンドウ基板の断面図である。
【図２】図１のＡ部分の部分拡大図である。
【図３】本発明の他の実施例によるベゼル層の部分拡大断面図である。
【図４】本発明の他の実施例によるベゼル層が形成されたウィンドウ基板の断面図である。
【図５】本発明の一実施例によるウィンドウ基板一体型に形成されたタッチセンサの断面図である。
【図６】本発明の他の実施例によるタッチセンサの断面図である。
【発明を実施するための形態】
【００３７】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３８】
以下、添付図面を参照して、本発明の好ましい実施例を詳細に説明する。
【００３９】
図１は、本発明の一実施例によるベゼル層２０が形成されたウィンドウ基板１０の断面図であり、図２は、図１のＡ部分の部分拡大図であり、図３は、本発明の他の実施例によるベゼル層の部分拡大断面図である。
【００４０】
本発明の一実施例によるタッチセンサは、ウィンドウ基板１０と、前記ウィンドウ基板１０の一面の外周縁上に形成されたベゼル層２０と、を含み、前記ベゼル層２０は、前記ウィンドウ基板１０上に形成された印刷層２１と、前記印刷層２１上に形成され、前記印刷層２１より屈折率が低い媒質層２２と、前記媒質層２２上に形成された反射層２３と、を含むものである。
【００４１】
特に、図３に示されたように、前記反射層２３上に黒色印刷層２１ａをさらに含んでもよい。印刷層２１が形成された部分に対応するように黒色印刷層２１ａを形成することで、タッチセンサが含まれたディスプレイ領域の視認領域の周縁部分に黒色の帯を形成して、ディスプレイの視認領域に対するユーザの認識度をより効果的に向上させることができる。
【００４２】
前記黒色印刷層２１ａは、カーボン系物質（Ｇｒａｐｈｅｎｅ  Ｏｘｉｄｅ、ＤＬＣ：Ｄｉａｍｏｎｄ  Ｌｉｎｅ  Ｃａｒｂｏｎ）、クロム系酸化物（ＣｒＯ、ＣｒＯ２）、銅系酸化物（ＣｕＯ）、マンガン系酸化物（ＭｎＯ２）、コバルト系酸化物（ＣｏＯ）、硫化物（ＣｏＳ２、Ｃｏ３Ｓ４）、ニッケル系酸化物（Ｎｉ２Ｏ３）またはその組み合わせからなってもよい。その他の構成および作用については後述する。
【００４３】
ウィンドウ基板１０は、タッチセンサの最外側に形成されて、タッチセンサを外部環境から保護する役割を同時に行える。ユーザの視認性のために透明な材質からなってもよく、例えば、ガラスや強化ガラスのように、所定以上の強度を有する材質であれば特に限定されない。本発明の一実施例によれば、ウィンドウ基板１０に形成されるベゼル層２０とともに電極パターン３０がウィンドウ基板１０上に直接形成されることで、タッチセンサの薄型化および小型化を図ることができるだけでなく、タッチ感度を向上させることができる。
【００４４】
ただし、ウィンドウ基板１０上に電極パターン３０が直接形成される構造以外にも、別のベース基板４０上に電極パターン３０が形成され、ウィンドウ基板１０と結合される様々なタッチセンサの構造が選択および適用されることができることは当業者によって自明である。詳細な内容については後述する。
【００４５】
ベゼル層２０は、ウィンドウ基板１０の一面上に形成され、外周縁に沿って形成させることができる。ベゼル層２０は、通常、タッチセンサにおいてユーザのタッチが入力されない非活性領域として形成される。また、ベゼル層２０は、タッチセンサに形成された電極パターン３０の電気的連結のための電極配線３０ａが視認されることを防止するか、外部に様々なロゴを形成するなど、ベゼル層２０が適用された様々なデバイスの外観を装飾する機能を果たすことができる。
【００４６】
特に、従来、単純に黒色のベゼル層２０を使用していたこととは異なり、より多様な色を実現する近年の傾向に応じて色を実現するために、ベゼル層２０が益々厚くなる問題が提起されている。ベゼル層２０が電極配線３０ａの視認を防止するための遮蔽機能を行う点からみて、白色やピンク色などの明るいトーンの色でも同一厚さまたはより薄いベゼル層２０でもこのような機能を効果的に実現する必要がある。
【００４７】
本発明の一実施例において、ベゼル層２０は、図２に示されたように、前記ウィンドウ基板１０上に形成された印刷層２１と、前記印刷層２１上に形成され、前記印刷層２１より屈折率が低い媒質層２２と、前記媒質層２２上に形成された反射層２３と、を含むことができる。
【００４８】
ここで、印刷層２１は、実質的にベゼル層２０の色を表す層であって、印刷層２１の形成方法としては、選択される材質に応じて、スクリーンプリンティング、蒸着、スピンコーティングなどの様々な方法が適用されてもよい。特に、本発明の一実施例では、ベゼル層２０を白色（ｗｈｉｔｅ）に実現するために、二酸化チタン（ＴｉＯ２）、酸化アルミニウム（Ａｌ２Ｏ３）、二酸化ケイ素（ＳｉＯ２）、酸化ハフニウム（ＨｆＯ２）、酸化亜鉛（ＺｎＯ）、酸化マグネシウム（ＭｇＯ）、酸化セリウム（Ｃｅ２Ｏ３）、酸化インジウム（Ｉｎ２Ｏ３）、インジウムスズ酸化物（ＩＴＯ）、チタン酸バリウム（ＢａＴｉＯ３）、タンタル酸カリウム（ＫＴａＯ３）、（Ｂａ、Ｓｒ）ＴｉＯ３またはその組み合わせからなる材質を選択的に適用してもよい。
【００４９】
しかし、本発明の印刷層２１は、このような特定の色に限定されず、光の反射により実現される様々な色がすべて適用されてもよく、そのような選択および適用は、当業者によって容易に実施または設計変更できる範囲内のものである。印刷層２１は、可視光領域において屈折率が１．４以上の物質を適用することがより好ましい。これは、後述する媒質層２２と反射層２３との関係において光がより効果的に分散（ｓｃａｔｔｅｒｉｎｇ）されて印刷層２１固有の色が発現されるようにするためである。この場合、可視光領域における屈折率は、波長に対する関数で表現されるため、前記可視光領域における屈折率は、５５０ｎｍ〜６００ｎｍの波長領域における屈折率と把握されることが好ましい。
【００５０】
媒質層２２は、印刷層２１より屈折率が低い物質からなってもよい。ここで、媒質層２２は、特定の種類の材質に限定されず、印刷層２１と後述する反射層２３との間で屈折率差を大きくして光が印刷層２１上でより多く分散（ｓｃａｔｔｅｒｉｎｇ）されて、印刷層２１の色をより効果的に実現できるものでなければならない。媒質層２２は、例えば、光学透明接着剤（ＯＣＡ；Ｏｐｔｉｃａｌ  Ｃｌａｅａ  Ａｄｈｅｓｉｖｅ）を用いてスピンコーティングにより形成してもよく、印刷層２１と反射層２３との間のギャップを形成して空気層（図示せず）を媒質層２２として実現できることは言うまでもない。
【００５１】
媒質層２２は、印刷層２１の屈折率より小さい屈折率を有することが好ましく、特に、可視光領域において屈折率が１以上２．７以下であってもよい。この場合にも前記印刷層２１の屈折率と同様に、可視光領域における屈折率は、波長に対する関数で表現されるため、前記可視光領域における屈折率は、５５０ｎｍ〜６００ｎｍの波長領域における屈折率と把握されることが好ましい。
【００５２】
また、図４に示されたように、透明接着剤により媒質層２２を形成する場合、ベゼル層２０部分以外のウィンドウ基板１０の全面に塗布することで、ベゼル層２０の段差をさらに減少させることができる。ウィンドウ基板１０上におけるベゼル層２０の段差は、後述するウィンドウ基板１０一体型のタッチセンサにおいて、電極パターン３０と電極配線３０ａとの電気的連結信頼性における非常に重要な要素である。詳細については後述する。
【００５３】
媒質層２２上には、光の分散効果（ｓｃａｔｔｅｒｉｎｇ）を効果的に実現するために、反射層２３がさらに形成されてもよい。反射層２３は、ウィンドウ基板１０上においてユーザによって視認されるベゼル層２０の色をより効果的に表すためのものである。すなわち、反射層２３によって入射される光が反射されて、内部に分散されることで、印刷層２１上に実現される色がよりはっきりと表されることができる。これにより、色実現のためのベゼル層２０をより薄型化できるという利点がある。反射層２３は、金属材質からなってもよく、必ずしもこれに限定されず、特に、反射率が０．８以上のものを適用することが好ましい。
【００５４】
金属の反射率に対する数値は波長に対する関数で表現されることができるため、可視光領域の８００ｎｍの波長帯で８０％以上に形成されることができる。また、金属の光沢によってもこのような反射率が影響を受けるため、金属の光沢の原因である金属に含まれた自由電子に対する数値で表現されてもよい。すなわち、反射層をなす金属の比抵抗（ρ：Ωｍ）が２０℃で１０以下に形成されるものと表現されてもよい。
【００５５】
反射層２３は、チタン（Ｔｉ）、アルミニウム（Ａｌ）、ニッケル（Ｎｉ）、銀（Ａｇ）、クロム（Ｃｒ）、白金（Ｐｔ）、モリブデン（Ｍｏ）、銅（Ｃｕ）、金（Ａｕ）、タングステン（Ｗ）、イリジウム（Ｉｒ）またはその組み合わせからなってもよく、そのほかにも様々な金属および非金属層が適用されることができることは言うまでもない。
【００５６】
また、反射層２３は、非伝導性物質で形成させることができる。すなわち、金属であるスズ（Ｓｎ）を用いる非伝導性の薄膜フィルムに形成させることができる。反射層２３は、上述した伝導性の金属を用いてもよいが、適用されるデバイスのスペックおよび構造に応じて、かかる伝導性の金属層に形成された反射層２３により携帯電話などにおけるアンテナの受信を妨害する恐れがあるという問題点が発生しうる。したがって、適用されるデバイスに応じて非伝導性の反射層２３を適用することで、前記のような問題点を予め防止し、且つ、タッチセンサにおけるベゼル層の色をもより効果的に実現することができる。
【００５７】
ここで、非伝導性の反射層２３は、金属層を用いるが、反射効果を維持するために非伝導性コーティング法（Ｎｏｎ  Ｃｏｎｄｕｃｔｉｖｅ  Ｖａｃｃｕｍ  Ｍｅｔａｌｌｉｚｉｎｇ（ＮＣＶＭ））を用いて形成することができる。非伝導性コーティング法を適用したフィルムにより、アルミニウムなどの他の金属化方法を使用する時に比べて、Ｗｉ−Ｆｉのような無線周波数（ＲＦ）信号があまり妨害されない特性を有する。すなわち、かかる方式で形成された非伝導性の反射層２３は、反射効果を有する一方伝導性が現れないようにすることで、適用されるデバイスに応じて発生しうるアンテナの受信などの信頼性をより効果的に確保することができる。
【００５８】
このように金属層に形成される反射層２３を、非伝導性コーティング方式を用いて形成する場合には、金属層が互いに絶縁されるように形成される多孔性（ｐｏｒｏｕｓ）の構造を有することで、反射層２３の表面抵抗が１ｋΩ以上に形成されて、デバイス内に適用して設けられたアンテナなどの受信を妨害しないという利点がある。金属層をそのまま利用できることで非伝導性を有し、且つ、透過率および反射効果をそのまま維持することができ、より効果的である。これにより、かかる反射層２３は、少なくとも５％以上の透過率を維持することができる。
【００５９】
本発明の一実施例によるタッチセンサは、図５に示されたように、ウィンドウ基板１０上に電極パターン３０を直接形成することで、タッチセンサの感度をより効果的に高めることができる。ウィンドウ基板１０上に電極パターン３０を形成する場合、単層構造の電極パターン３０が適用されてもよく、ウィンドウ基板１０上に電極パターン３０を形成し、前記電極パターン３０に交差する電極パターン３０を別のベース基板４０に形成して結合することでタッチセンサを実現することができることは言うまでもない。
【００６０】
単層構造の電極パターン３０の一例は、交差する両電極パターン３０が形成される際に、両電極パターン３０が交差する部分に絶縁パターンを形成することで、両電極パターン３０を絶縁させるとともに、それぞれの電極パターン３０間の電気的連結を実現することができる。ウィンドウ基板１０上に電極パターン３０を形成してタッチセンサを実現する構造としては、その他にも様々な構造が採択されてもよく、ウィンドウ基板１０上に電極パターン３０がすべて形成される場合またはウィンドウ基板１０上に一部電極パターン３０が形成される場合の両方が含まれてもよく、そのような設計変更は当業者にとって自明な事項である。
【００６１】
本発明の一実施例は、図５に示されたように、ウィンドウ基板１０の一面上に単層構造の電極パターン３０が設けられることを示している。この場合、電極パターン３０の電気的連結のための電極配線３０ａがベゼル層２０上に形成されてもよい。本発明の一実施例では、ベゼル層２０の薄型化を実現することで、電極パターン３０において連結される電極配線３０ａ間の段差を著しく減少させることで、電極パターン３０と電極配線３０ａとの電気的連結の信頼性を確保することができる。
【００６２】
ここで、電極パターン３０は、タッチの入力手段によって信号を発生させ、制御部（図示せず）からタッチ座標を認識できるようにする役割を行うためのものである。電極パターン３０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせによりメッシュパターン（Ｍｅｓｈ  Ｐａｔｔｅｒｎ）に形成することができる。
【００６３】
一方、電極パターン３０は、上述した金属以外にも銀塩乳剤層を露光／現像して形成された金属銀、ＩＴＯ（Ｉｎｄｉｕｍ  Ｔｈｉｎ  Ｏｘｉｄｅ）などの金属酸化物、または柔軟性に優れ、コーティング工程が単純なＰＥＤＯＴ／ＰＳＳなどの伝導性高分子を用いて形成してもよい。
【００６４】
図５に示されたように、反射層２３を金属材質で形成する場合には、電極配線３０ａとの電気的短絡を防止するために反射層２３上に絶縁層２４をさらに具備してもよい。反射層２３上に絶縁層２４を積層した後、絶縁層２４上に電極配線３０ａを形成してもよい。
【００６５】
絶縁層２４の材質は特に限定されず、電極配線３０ａの視認を遮断するために黒色の絶縁層２４がベゼル層２０上に形成されてもよい。例えば、クロム系酸化物（ＣｒＯ、ＣｒＯ２）、銅系酸化物（ＣｕＯ）、マンガン系酸化物（ＭｎＯ２）、コバルト系酸化物（ＣｏＯ）、硫化物（ＣｏＳ２、Ｃｏ３Ｓ４）、ニッケル系酸化物（Ｎｉ２Ｏ３）、またはその組み合わせからなってもよい。また、上述した黒色印刷層２１ａの場合にも絶縁性材質を使用してもよく、これにより、絶縁層２４と置換して形成することができることは当業者による設計変更の範囲に含まれることができる。
【００６６】
本発明の他の実施例によるタッチセンサは、図６に示されたように、別のベース基板４０の両面に第１電極パターン３１と第２電極パターン３２をそれぞれ形成して、ベゼル層２０が形成されたウィンドウ基板１０を結合することができる。
【００６７】
図６に示されたように、本発明の他の実施例によるタッチセンサは、ウィンドウ基板１０およびウィンドウ基板１０の一面の外周縁に沿って形成されるベゼル層２０と別のベース基板４０およびベース基板４０の一面に形成された第１電極パターン３１、ベース基板４０の他面に第１電極パターン３１と交差する第２電極パターン３２を形成した後、ベース基板４０とウィンドウ基板１０を結合することができる。
【００６８】
図５に示されたように、第１電極パターン３１とウィンドウ基板１０が対向するように結合するにあたり、電極配線３１ａがウィンドウ基板１０上のベゼル層２０に対応する位置に配置されるように結合されてもよい。図面には第１電極パターン３１と電気的に連結される電極配線３１ａのみを示しているが、第２電極パターン３２との電気的連結のための電極配線（図示せず）がベゼル層２０に対応する位置に形成されることができることは自明な事項である。
【００６９】
ここで、ベース基板４０は、所定以上の強度を有する材質であれば特に限定されず、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）などからなってもよい。
【００７０】
第１電極パターン３１および第２電極パターン３２は、上述した電極パターン３０と同一であるため、重複する詳細な説明は省略する。
【００７１】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７２】
本発明の単純な変形乃至変更はいずれも本発明の領域に属するものであり、本発明の具体的な保護範囲は添付の特許請求の範囲により明確になるであろう。
【産業上の利用可能性】
【００７３】
本発明は、タッチセンサに適用可能である。
【符号の説明】
【００７４】
１０  ウィンドウ基板
２０  ベゼル層
２１  印刷層
２１ａ  黒色印刷層
２２  媒質層
２３  反射層
２４  絶縁層
３０  電極パターン
３０ａ、３１ａ  電極配線
４０  ベース基板
３１  第１電極パターン
３２  第２電極パターン
４０  ベース基板
【図１】
2015079503.tif 000003
【図２】
2015079503.tif 000004
【図３】
2015079503.tif 000005
【図４】
2015079503.tif 000006
【図５】
2015079503.tif 000007
【図６】
2015079503.tif 000008